(57)【要約】【課題】エンクロージャー側のネジ穴加工や緊締部材の取り付けを行わずにスピーカースタンドとエンクロージャーを緊締でき、取り付け位置を任意に変えられる汎用性の高いスピーカースタンドを提供する。【解決手段】エンクロージャー８の左右に位置する一対の支柱１に取り付けたネジ式押し座６の押し付け圧力とその際に発生する支柱１の外側への反りの復元力をエンクロジャー側面への押し付け圧力として利用してスタンドとエンクロジャーを緊締する。ネジ式押し座６のネジ込み長さとネジ式受け座７の取り付け位置により寸法の異なるエンクロージャー８の取り付けを可能とした汎用的なスピーカースタンドである。【選択図】図１
2005328489.tif 000002
【特許請求の範囲】
【請求項１】
ネジ推進式押し座を有する２本の支柱間に位置するエンクロージャーの側面に対するネジ推進力による圧迫力およびネジ推進に伴い発生する支柱のたわみから生ずる支柱の復元力を圧迫力として利用した側面圧迫保持方式によるエンクロージャーとスタンドの緊締方式を特徴とする音響用機器スタンド、およびそれを使用したスピーカースタンド。
【請求項２】
請求項１記載の側面圧迫保持方式の音響機器用スタンド、およびそれを使用したスピーカースタンドにおいて、エンクロージャーの左右側面を圧迫保持することによりエンクロージャーがスタンドから脱落しないようにしたことを特徴とする音響機器用スタンド、およびそれを使用したスピーカースタンド
【請求項３】
請求項１記載の圧迫保持方式の音響機器用スタンド、およびそれを使用したスピーカースタンドにおいて、２本の支柱の鉛直方向に設けた複数のネジ穴によりネジ推進式押し座の取り付け位置を変えることにより側面圧迫保持部の高さを変更できる構造として高さの異なるエンクロージャーの取り付けを可能とし、側面圧迫支持点を中心軸としてエンクロージャーの水平角度を任意に可変できるようにすることにより、取り付け位置と寄り付け角度を任意に調節できることを特徴とする音響機器用スタンド、およびそれを使用したスピーカースタンド
【請求項４】
請求項１記載の側面圧迫保持方式の音響機器用スタンド、およびそれを使用したスピーカースタンドにおいて、保持対象となるエンクロージャーにネジ穴の加工あるいは固定器具の取り付けが不要となることを特徴とする音響機器用スタンド、およびそれを使用したスピーカースタンド
【発明の詳細な説明】
【技術分野】
【０００１】この発明は、音響機器スタンド、およびそれを使用したスピーカースタンドに関し、さらに詳細には、寸法の異なるエンクロージャーを取り付けるための構造を改善した音響機器スタンド及びスピーカースタンドに関する。
【背景技術】
【０００２】従来の音響機器用スタンドおよびそれを使用したスピーカースタンドの構造は、特開２００１−１８９９７９号公報および特開２０００−３２４５７９号公報にあるように、エンクロージャーをスピーカースタンドの上部に据え置きする方式を採用している。【０００３】また、他の従来技術としては、特開２０００−３４２３６４号公報に記載されているようにスタンドからエンクロージャーが脱落することを防止するためスピーカースタンドとエンクロージャーを専用の緊締器具で緊締する方式を採用している。
【特許文献１】特開２００１−１８９９７９号公報
【特許文献２】特開２０００−３２４５７９号公報
【特許文献３】特開２０００−３４２３６４号公報
【発明の開示】
【発明が解決しようとする課題】
【０００４】しかしながら、このような従来の据え置き方式を採用したスピーカースタンドは、地震等の振動および人物等の接触によりエンクロージャーがスピーカースタンドから脱落するという問題がある。脱落を防止するためには、エンクロージャーとスピーカースタンドを緊締するための締め付けネジあるいは専用の緊締器具を使用が必要であり、エンクロージャー側にネジ穴の設置、あるいは緊締器具の取り付けが必要であるという問題がある。【０００５】またネジ穴、あるいは緊締器具の取り付けのためスピーカースタンドとエンクロージャーは、一対の組ものとして処理しなければならないためスピーカースタンドは、取り付けるエンクロージャー専用のスピーカースタンドとなってしまい、寸法の異なるエンクロージャーに対応できる汎用的なスピーカースタンドを作ることが困難であるという問題がある。【０００６】さらに別の問題点として、ネジ、あるいは緊締器具を使用することによりスピーカースタンドとエンクロージャーの取り付け方法が固定化されてしまいエンクロジャーの取り付け位置あるいは設置位置を変えることが困難という問題がある。【０００７】したがって、本発明の目的は、エンクロージャーがスピーカースタンドから脱落しにくく、エンクロージャーのサイズ違いに対する適合能力が高く、エンクロージャーに加工を加えることなくエンクロージャーの取り付け位置および取り付け角度を自由に変更できる汎用性の高い音響用機器スタンド、およびそれを使用したスピーカースタンドを提供することにある。
【課題を解決するための手段】
【０００８】上記課題を達成するために第一の発明は、ネジ推進式の軸を有する押し座を内向きに取り付けた２本の後部支柱、１本の前部支柱、前記３本の支柱を固定する下部台座、２本の後部支柱を結ぶ後部支柱左右支持部材、前部支柱頂部と後部支柱左右支持部材の中央を結ぶ前後支柱支持部材、前後支柱支持部材に上向きに設置されたネジ推進式受け座からなる音響機器用スタンド、およびそれを使用したスピーカースタンドである。【０００９】この発明において後部支柱間に置かれたエンクロージャーに対して、左右の後部支柱に取り付けたネジ推進式押し座の締め込みにより発生する押付け力、およびその反力により生ずる後部支柱の外側への反りに対する復元力をエンクロージャー側面に対する圧迫力として作用させてエンクロジャーとスピーカースタンドを強固に緊締することができる。【００１０】側面の２点を圧迫保持されたエンクロージャーは、左右の側面圧迫支持点を結ぶ軸を中心軸として回転することができる。前後保持支柱に取り付けた上向きのネジ推進式受け座は、エンクロージャー底面に接触することにより、回転動作を止めると共にエンクロージャーの前方の質量を受けることができる。この際にネジ推進式受け座のネジ込み寸法を変えることにより、エンクロジャー底面の高さを変えることができ、その結果、エンクロージャーの傾きを調整することができる。【００１１】側面圧迫保持方式を使用することによりエンクロージャーとスピーカースタンドを緊締するためのネジ穴の加工あるいは緊締器具の取り付けを省略することができる。【００１２】第二の発明は、１対の後部支柱に設置するネジ推進式押し座用のネジ穴を支柱の鉛直方向に複数箇所設置すること、および前後支柱保持用の支持部材に設置するネジ推進式受け座用のネジ穴を位置を水平方向に複数設置することである。【００１３】この発明において、取り付けるエンクロージャーの寸法に合わせるように、後部支柱に設置した高さの異なるネジ穴を使用してネジ推進式押し座を取り付けて、エンクロジャー側面の圧迫保持位置を変えることにより、高さの異なるエンクロージャーであっても適正な圧迫保持位置を得ることができる。【００１４】さらに、側面圧迫保持を行うネジ推進式押し座のネジ込み長さを変えることで幅の異なるエンクロジャーの圧迫保持を行うことができるようになり、前後支柱保持用の支持部材に設置するネジ推進式受け座の取り付け位置を変えることにより奥行きの異なるエンクロージャーであってもその回転を止めることができ、エンクロージャー底面の質量を受けることができる。
【発明の効果】
【００１５】第一発明によれば、側面を圧迫保持されたエンクロージャーは、スピーカースタンドに緊締されエンクロージャーが脱落しにくいスピーカースタンドを作ることができる。エンクロージャー側面に対する圧迫力は、ネジの推進力による押し付け圧力、及び押し付け圧力の増加に伴い発生する支柱自体の外側方向へのたわみとその反動として発生する支柱の復元力をエンクロージャーに対する圧迫力として使用することができる。支柱がたわむことにより過剰な圧迫力の発生を防止することができエンクロージャーの変形および破損を避けることもできる。【００１６】第一発明によれば、エンクロージャー側のネジ穴加工あるいは緊締器具の取り付け加工を行うことなくエンクロージャーとスピーカースタンドを緊締することができ、脱落の防止が可能な音響用機器スタンド、およびそれを使用したスピーカースタンドを作ることができる。【００１７】第二発明によれば、エンクロージャーの側面圧迫保持位置の変更、ネジ推進式押し座のネジ込み長さの変更、および前後支柱保持用の支持部材に設置するネジ推進式受け座の取り付け位置を変えることにより幅寸法及び奥行き寸法の異なったエンクロージャーを任意の位置に取り付けることができ、エンクロージャーの取り付け角度を任意に変更することができる汎用的な音響用機器スタンド、およびそれを使用したスピーカースタンドを作ることができる。【００１８】図１の実施例に示すような細い支柱を使用してスピーカースタンドとした場合は、エンクロージャー周辺の音響的な反射面の面積が極小となるため、不要な反射音を減らすことができ、鮮明な音質で音響再生を行うことができる。
【発明を実施するための最良の形態】
【００１９】以下に添付図面を参照しながら、本発明の好適な実施の形態について説明する。
【実施例１】図１に、本実施形態にかかるスピーカースタンドの構成について説明する。【００２０】側面圧迫用のネジ推進式押し座６を備えた左右２本の後部支柱１は、支柱の反りに対する強度を確保できると同時にスピーカースタンドの重心を下部に下げるために適切な肉厚と寸法を有する鋼製の中空の角パイプを素材とし、四角形の枠組形状の下部台座３の後部枠に設置する。【００２１】後部支柱１と同等の素材を使用する前部支柱２は、四角形の枠組形状の下部台座３の前部枠の中央に設置する。【００２２】左右２本の後部支柱１を結ぶ後部支柱左右支持部材４は、後部支柱１と同程度の素材を使用し、溶接あるいはボルト締めにより取り付けるものとし、２本の後部支柱１を強固に結合する。【００２３】前部支柱２の頂部と後部支柱左右支持部材４の中央を結ぶ前後支柱支持部材５は、鋼製の角棒を素材とし、ネジ推進式受け座７を取り付けるための貫通ネジ穴５１は、奥行きの異なるエンクロージャー８に対応できるように前後方向に複数個設置する。【００２４】ネジ推進式押し座６の押し座６１の押し座面には、エンクロージャー８の側面を傷つけることが少なく密着性の良いゴムのような素材を使用することが望ましい。エンクロージャー８は、ネジ推進式押し座６により左右側面から圧迫されるよう左右の後部支柱の間に位置させるものとする。押し座６１は、押し座部分の首振り動作が可能なフレキシブルな構造なものとすることが望ましい。【００２５】後部支柱１の上部には、ネジ推進式押し座６を取り付けるための貫通ネジ穴１１を設けるものとする。貫通ネジ穴１１は、高さの異なるエンクロージャー８に対応できるように図１に示すごとく鉛直方向に複数個設置する。【００２６】ネジ推進式受け座７の受け座面には、エンクロージャー８の底面を傷つけることが少なく密着性の良いゴムのような素材を使用することが望ましい。さらにネジ推進式受け座７の受け座面はエンクロージャー８の底面と平行にできるように、受け座部分が首振り動作が可能なフレキシブル構造なものとすることが望ましい。【００２７】後部支柱１及び前部支柱２の台座となる下部台座３は、スピーカースタンドの全体の重心を下げるために質量の大きな鋼製の角棒を使用することが望ましい。下部台座３の４隅に開けられた貫通ネジ穴に設置された４本の水平調整ネジは３１は、スピーカースタンド全体の水平レベルを確保するために使用する。【００２８】本実施形態では、保持されるエンクロージャー８は、その側面を後部支柱１から内向きに取り付けられているネジ推進式押し座６の締め付けにより左右両側から押し付けられることにより圧迫保持される。【００２９】さらにネジ推進式押し座６の締め付けにより後部支柱１と後部支柱左右支持部材４の接合部１Ａを支点として発生する支柱１上部の外側方向への反り１Ｂに伴い発生する支柱１の復元力１Ｃにより、エンクロージャー８は、左右側面からさらに強固に圧迫保持されることになりエンクロージャー８および後部支柱１を強固に緊締することができる。【００３０】ネジ推進式受け座７は、エンクロージャー８の底面と接触することにより、左右のネジ推進式押し座６を結ぶ軸を中心軸として発生するエンクロージャー８の回転方向の動きを止めると共にエンクロージャー８前部の質量を受けとめることができる。
【実施例２】次に第２の実施の形態にかかるスピーカースタンドの構成について説明する。本実施例は、前期実施例１の使用素材を変更した実施例である。【００３１】側面圧迫用のネジ推進式押し座６を備えた左右２本の後部支柱１は、支柱の反りに対する強度を確保できると同時にスピーカースタンドの重心を下部に下げるために適切な厚さと寸法を有する柱状の木製素材とし、四角形の下部台座３の後部に設置する。【００３２】後部支柱１と同等の素材を使用する前部支柱２は、四角形の下部台座３の前部中央に設置する。【００３３】左右２本の後部支柱１を結ぶ後部支柱左右支持部材４は、後部支柱１と同程度の素材を使用し、嵌合構造あるいはボルト締めにより取り付けるものと、２本の後部支柱１を強固に結合する。【００３４】前部支柱２の頂部と後部支柱左右支持部材４の中央を結ぶ前後支柱支持部材５は、木製の角棒を素材とし、ネジ推進式受け座７を取り付けるための貫通ネジ穴５１は、奥行きの異なるエンクロージャー８に対応できるように前後方向に複数個設置する。【００３５】ネジ推進式押し座６の押し座６１の押し座面には、エンクロージャー８の側面を傷つけることが少なく密着性の良いゴムのような素材を使用することが望ましい。エンクロージャー８は、ネジ推進式押し座６により左右側面から圧迫されるよう左右の後部支柱の間に位置させるものとする。押し座６１は、押し座部分の首振り動作が可能なフレキシブルな構造なものとすることが望ましい。【００３６】後部支柱１の上部には、ネジ推進式押し座６を取り付けるための貫通ネジ穴１１を設けるものとする。貫通ネジ穴１１は、高さの異なるエンクロージャー８に対応できるように図１に示すごとく鉛直方向に複数個設置する。【００３７】ネジ推進式受け座７の受け座面には、エンクロージャー８の側面を傷つけることが少なく密着性の良いゴムのような素材を使用することが望ましい。さらにネジ推進式受け座７の受け座面はエンクロージャー８の底面と平行にできるように、受け座部分が首振り動作が可能なフレキシブル構造なものとすることが望ましい。【００３８】後部支柱１及び前部支柱２の台座となる下部台座３は、スピーカースタンドの全体の重心を下げるために厚手の素材を使用することが望ましい。下部台座３の４隅に開けられた貫通ネジ穴に設置された４本の水平調整ネジは３１は、スピーカースタンド全体の水平レベルを確保するために使用する。【００３９】本実施形態では、保持されるエンクロージャー８は、その側面を後部支柱１から内向きに取り付けられているネジ推進式押し座６の締め付けにより左右両側から押し付けられることにより圧迫保持される。【００４０】さらにネジ推進式押し座６の締め付けにより後部支柱１と後部支柱左右支持部材４の接合部１Ａを支点として発生する支柱１上部の外側方向への反り１Ｂに伴い発生する支柱１の復元力１Ｃにより、エンクロージャー８は、左右側面からさらに強固に圧迫保持されることになリエンクロージャー８および後部支柱１を強固に緊締することができる。【００４１】ネジ推進式受け座７は、エンクロージャー８の底面と接触することにより、左右のネジ推進式押し座６を結ぶ軸を中心軸として発生するエンクロージャー８の回転方向の動きを止めると共にエンクロージャー８前部の質量を受けとめることができる。
【図面の簡単な説明】
【００４２】
【図１】本発明に係るスピーカースタンドが適用される鉄鋼製スピーカースタンドの実施形態を示す斜視図である。
【図２】本発明に係るスピーカースタンドが適用される木製スピーカースタンドの実施形態を示す斜視図である。
【符号の説明】
【００４３】１  後部支柱
２  前部支柱
３  下部台座
４  後部支柱左右支持部材
５  前後支柱支持部材
６  ネジ推進式押し座
７  ネジ推進式受け座
８  エンクロージャー
１１  貫通ネジ穴
１Ａ  支点
１Ｂ  支柱反り
１Ｃ  支柱復元力
３１  水平調整ネジ
５１  貫通ネジ穴
６１  押し座
【図１】
2005328489.tif 000003
【図２】
2005328489.tif 000004